(57)【要約】【課題】太股の筋に対して、磁気効果を与えて血行を促すことにより、痛みを緩和させること。【解決手段】本発明の膝用のサポータは、人体の太股に装着するべく伸縮性を備えた筒状部が形成された膝用のサポータにおいて、前記筒状部の内側には、着磁された帯状の磁性体層を配設することによって、太股に装着したときに、磁性体層が太股の筋肉に沿って配置されるように構成し、また、装着時に膝側に位置する開口部の内側には磁石片を配設することによって、太股に装着したときに、磁石片が膝の内側の経穴に対応して配置されるように構成した。【選択図】            図１
2004254731.tif 000002
【特許請求の範囲】
【請求項１】
人体の太股に装着するべく伸縮性を備えた筒状部が形成された膝用のサポータにおいて、
前記筒状部の内面には、着磁された帯状の磁性体層を、筒状部の軸に並行に配設したことを特徴とする膝用のサポータ。
【請求項２】
筒状部の膝側の開口部の内側であって、膝の内側の経穴に対応する位置には磁石片を配設したことを特徴とする請求項１に記載の膝用のサポータ。
【請求項３】
帯状の磁性体層は、内部に着磁された粉末磁性体が充填された帯状体から構成され、前記帯状体は、伸縮性の前記筒状部に部分的に止着されていることを特徴とする請求項１または２の何れか１項に記載の膝用のサポータ。
【請求項４】
前記サポータを装着部位に係止する係止手段を備えていることを特徴とする請求項１、２、３の何れか１項に記載の膝用のサポータ。
【請求項５】
係止手段は、腰ベルト部と、腰ベルト部と当該サポータの一部とを連結する連結手段とから構成されていることを特徴とする請求項４に記載の膝用のサポータ。
【発明の詳細な説明】
【０００１】
【発明の属する技術分野】
本発明は、人体の太股に装着して用いるサポータであり、膝関節痛を緩和するための膝用のサポータに関するものである。
【０００２】
【従来の技術】
以前から、歩行時や階段等の昇降時に膝の関節が痛む膝関節痛を訴える人が多い。このような膝関節痛は、立った状態における膝関節の伸展位や、腰掛けに座ったときの膝関節周囲の筋の脱力時においては疼痛は軽減されるのが普通である。
立ち上がろうとした時、あるいは座ろうとした時など、膝関節の中間屈曲位で膝の痛みが増大するのが通常の膝関節痛である。
つまり、膝関節が４５°前後に屈曲したときに膝関節及び膝蓋骨が固定される時に痛みが増大するのである。膝関節を固定する筋としては、薄筋が代表的であり、恥骨枝より始まり、脛骨粗面内側に終わる筋である。
また、膝蓋骨を固定するのは大腿四等筋の外側広筋が代表的であり、大腿骨粗線（大腿骨外側上部）より始まり膝蓋骨を経て脛骨粗面に終わる筋である。
【０００３】
これらの筋に疲労がたまり、筋膜に炎症、あるいは筋に炎症や浮腫が発生したときに、アクチンとミオシンの筋滑走がスムーズに行われず、筋収縮時、つまり膝関節を固定するときに痛みが発生する。また、これらの筋支配神経は内閉鎖筋であり、第２、３、４腰椎から脊髄に入る。膝関節は大腿神経支配であって、大腿神経は第１２胸椎から第４腰椎に入るが、膝関節は、第２、３、４腰椎に入るため、閉鎖神経と同じ場所から脊髄に移行する。脊髄を通る神経と体幹にある神経では、体幹の神経が圧倒的に多く、脊髄では体幹より入ってくる神経は同じ脊髄神経を通る神経が多数あることは良く知られていることである。
内閉鎖筋と大腿神経は同一の神経繊維を通り、脳に痛みの情報を与えるために、筋の痛みを膝関節の痛みとしてとらえてしまうケースがある。
【０００４】
そこで、膝の痛みを和らげるために、種々のサポータが提案されている。
例えば、膝上部および膝下部にそれぞれ巻回される２本のバンド片の略中央部が結合され、膝裏にあてがわれる膝裏当て部が形成され、各バンド片には、それぞれの両端部どうしを着脱可能に接続する面ファスナーが設けられ、各バンド片の内面側には、装着時に膝部の内側および外側に対応する位置にそれぞれ血行促進用の磁石がホットメルト用パッチにより止め付けられている構成の膝用サポータが提案されている。（例えば、特許文献１参照）
【０００５】
【特許文献１】
特開２００１−２６２４１２号公報（要約参照）
【０００６】
【発明が解決しようとする課題】
ところが、上述したような従来の膝用サポータは、血行促進用の磁石が、装着時の膝部の内側および外側に対応する位置にそれぞれ設けられているが、大腿骨に沿った筋に対して作用を及ぼす構成は備えていないので、効果が不十分であるという問題があった。
そこで、本発明は、前記筋に対して、磁気治療を施し血行を促すことにより、前記筋の痛みを緩和させることを目的としてなされたものである。
そして、それらの筋に対する磁気治療を行い、膝関節の中間屈曲位でのそれらの筋の痛みを緩和させることにより、歩行時や階段の昇降時の膝の痛みを緩和させることを目的とするものである。
【０００７】
【課題を解決するための手段】
本発明の請求項１にかかる膝用のサポータにおいては、
人体の太股に装着するべく伸縮性を備えた筒状部が形成された膝用のサポータにおいて、
前記筒状部の内側には、着磁された帯状の磁性体層を配設することによって、
太股に装着したときに、磁性体層が太股の筋肉に沿って配置されるように構成したことを特徴としている。
【０００８】
請求項２では、装着時に膝側に位置する開口部の内側には磁石片を配設することによって、太股に装着したときに、磁石片が膝の内側の経穴に対応して配置されるように構成したことを特徴としている。
【０００９】
請求項３では、帯状の磁性体層は、内部に着磁された粉末磁性体が充填された帯状体から構成され、前記帯状体は、伸縮性の前記筒状部に部分的に止着されていることを特徴としている。
【００１０】
請求項４では、当該サポータを人体の太股に装着したときに、当該サポータが人体から脱落することを防止する係止手段を備えていることを特徴としている。
【００１１】
請求項５では、係止手段は、腰ベルト部と、腰ベルト部と当該サポータの一部とを連結する連結手段とから構成されていることを特徴としている。
【００１２】
【作用】
本発明においては、筒状部の内側には、着磁された帯状の磁性体層を配設することによって、太股に装着したときに、磁性体層が太股の筋肉に沿って配置されるように構成したので、太股の筋肉の血行を促進する。
また、装着時に膝側に位置する開口部の内側には磁石片を配設することによって、太股に装着したときに、磁石片が膝の内側の経穴に対応して配置されるように構成したので、磁力線によって経穴を刺激する。
また、帯状の磁性体層は、内部に着磁された粉末磁性体が充填された帯状体から構成されているので、変形可能である。また、前記帯状体は、伸縮性の前記筒状部に部分的に止着されているので、筒状部の伸縮を妨げにくい。
また、係止手段を備えているので、サポータを人体の太股に装着したときに、当該サポータが人体から脱落することを防止する。
また、腰ベルト部と、腰ベルト部と当該サポータの一部とを連結する連結手段を備えているので、サポータは腰ベルト部に連結・保持される。
【００１３】
【発明の実施の形態】
以下に、本発明にかかる膝用のサポータを、その実施の形態を示した図面に基づいて詳細に説明する。
【００１４】
本発明の実施形態としての膝用のサポータの斜視図を示した図１において、
１は膝用のサポータであり、人体の太股に装着するべく伸縮性を備えた布帛により筒状部１０が形成されている。
前記筒状部１０の内側には、着磁された帯状の磁性体層が形成された一対の帯び状体２Ａ、２Ｂが配設されている。
前記帯状体２Ａ、２Ｂには、それぞれ、内部に着磁された粉末磁性体が充填され、それぞれ前記筒状部１０に部分的に止着されている。即ち、前記帯状体２Ａ、２Ｂの長手方向の両端部は中間部より幅が狭く形成され、その端縁２Ｃ、２Ｄが、前記筒状部１０の開口部に近い内側部分に逢着されていることにより、部分的に止着されているのである。
また、前記帯状体２Ａ、２Ｂの長手方向の中間部は、両端部より幅が広く形成され、その中央部分の数カ所２Ｅが、前記筒状部１０の中間部分に飛び飛びに部分的に逢着されている。
【００１５】
前述したように、前記帯状体２Ａ、２Ｂは前記筒状部１０に飛び飛びに部分的に止着されていることによって、筒状部１０は、人体の装着部位の太さ等に応じて、ほぼ自由に伸縮することが可能となり、優れた装着感が得られる。特に、筒状部１０が幅方向に伸縮する妨げにはならない。
【００１６】
また、前記帯状体２Ａ、２Ｂの長手方向の端縁２Ｃ、２Ｄが、中間部より幅が狭く形成されて筒状部１０に逢着されているので、筒状部１０の開口部分の径が拡縮することを妨げにくい。同時に、帯状体は筒状部の内側に確実に止着され、脚に着脱するときにめくれたりすることなく、着脱しやすい。
【００１７】
以上のように、前記帯状体２Ａ、２Ｂが配設されているので、この膝用のサポータを太股に装着したときに、前記帯状体２Ａ、２Ｂの磁性体層が、太股の筋肉に沿って配置される。従って、太股の筋肉は、前記帯状体２Ａ、２Ｂの磁性体層によって血行が促進され疲労を快復するとともに、痛みを和らげるのである。
【００１８】
さらに、前記筒状部１０と前記帯状体２Ａ、２Ｂとの間には、一対の磁石片３Ａ、３Ｂが止着されている。この磁石片３Ａ、３Ｂは、筒状部１の膝側の開口部１１の内側に配設されている。
これらの磁石片の配設されている位置は、特に膝の内側の経穴に対応した位置に合わせるとよい。
なお、前記サポータ１の開口部の径は、太股に合わせて伸縮しやすいように、脚の付け根側がより大径で、膝側がより小径となるように、若干異なる径に構成されている。
さらに、太股に装着したときに、ずり落ちることを防止するために、ベルト４を備えるとよい。このベルト４の締め付けを調節することによって、快適且つずり落ちない強さでサポータ１を、脚に装着した状態で保持することができるのである。このベルト４は、面ファスナ等で所望の強さで締め付けて止めることができるように構成されていることが望ましい。
【００１９】
図３は、人体における左右の膝関節の経穴ＰＬ，ＰＲの概略位置を図示したものである。図３において、一点鎖線は左右の足の中心線の概略位置を図示したものである。図３に示したように、前記経穴ＰＬ，ＰＲは、足の中心線より内側で、且つ若干前方寄りに位置している。従って、サポータ１には二つの磁石片３Ａ、３Ｂが設けられており、右脚に装着した場合には一方の磁石片３Ａが右脚の経穴ＰＲの位置に合い、同一のサポータ１を左脚に装着した場合には他方の磁石片３Ｂが左脚の経穴ＰＬの位置に合うように構成されている。このような構成により、左脚用のサポータと右脚用のサポータとを共用することができるのである。
【００２０】
また、前記サポータ１の外面には二つのマークＭＡ，ＭＢが設けられているので、右足に装着するときには、第１のマークＭＡが右脚の中心線に一致するように装着すると、一方の磁石片３Ａが右脚の経穴ＰＲのに位置に合い、左足に装着するときには、第２のマークＭＢが左脚の中心線に一致するように装着すると、他方の磁石片３Ｂが左脚の経穴ＰＬの位置に合うのである。
【００２１】
以上のように、本発明の膝用のサポータ１は、筋に沿って磁性体を充填した帯状体を備えているので、薄筋の血行を促進する効果が得られる。また、膝の内側の経穴に対応する位置に磁石片を備えているので、膝の痛みを和らげる効果が得られる。
【００２２】
次に、前記当該サポータを人体の太股に装着したときに、当該サポータが脱落することを防止するための係止手段の種々の形態を、図５を参照して説明する。
図５の（Ａ）に示したサポータ１Ａは、腰部のベルト部材５に、連結手段としての吊り部材６によって筒状部１０Ａを吊り下げた構成である。この場合には、ベルト部材５と吊り部材６とによって係止手段を構成した。このような構成によって、前記当該サポータを人体の太股に装着したときに、前記筒状部１０Ａが脱落することを防止するのである。
【００２３】
図５の（Ｂ）は、腰部のベルト部材７と筒状部１０Ｂとを連結手段としての布帛によって連結した構成である。この場合には、ベルト部材７と前記布帛とによって係止手段を構成した。このような構成によって、前記当該サポータを人体の太股に装着したときに、前記筒状部１０Ｂが脱落することを防止するのである。
【００２４】
図５の（Ｃ）は、腰部のベルト部材８と筒状部１０Ｃとを連結手段としての網状部材９によって連結した構成である。この場合には、ベルト部材８と前記網状部材９とによって係止手段を構成した。このような構成によって、前記当該サポータを人体の太股に装着したときに、前記筒状部１０Ｃが脱落することを防止するのである。
【００２５】
以上の例においては、片脚にのみ装着する筒状部を備えたサポータを例示したが、両脚に装着する筒状部を備えた構成も可能である。
即ち、図５の（Ｄ）は、膝までのズボンのような形状の下着状に形成したサポータの斜視図であり、連結手段としての布帛で左右の両脚用の筒状部１０Ｄ、１０Ｄを備えている。なお、一方の筒状部にのみ図１の帯状体と磁石片とを備えた構成でも、両方の筒状部に図１の帯状体と磁石片とを備えた構成でも可能である。
【００２６】
前記粉末磁性体は、鋳造磁石（金属系磁石）、フェライト磁石（酸化物系磁石）、もしくは希土類磁石（希土類系磁石）  の少なくとも何れかを粉末状にしたものを使用できる。また、粉末磁性体に結合剤等を混合するとき、セラミック素材や、ゲルマニウム等の金属成分や、竹炭や備長炭等の木炭等や、薬効成分を混合してもよい。それによって、遠赤外線効果やイオン発生効果や種々の効果が得られる。
【００２７】
【発明の効果】
以上のように、本発明によれば、筒状部の内側には、着磁された帯状の磁性体層を配設して、太股に装着したときに、磁性体層が太股の筋肉に沿って配置されるように構成したので、太股の筋肉や筋の部分の血行を促進し、疲労を快復することが期待できる。
また、装着時に膝側に位置する開口部の内側には磁石片を配設することによって、太股に装着したときに、磁石片が膝の内側の経穴に対応して配置されるように構成したので、磁力線によって経穴を刺激し、痛みを和らげる効果が期待できる。
【００２８】
また、帯状の磁性体層は、内部に着磁された粉末磁性体が充填された帯状体から構成されているので、太股の形状に応じて形状が変形しやすく、快適な装着感が得られる。
また、係止手段を備えているので、サポータを人体の太股に装着したときに、当該サポータが人体から脱落することが防止できる。
また、腰ベルト部と腰ベルト部と当該サポータの一部とを連結する連結手段を備えているので、確実に装着保持できる。
【図面の簡単な説明】
【図１】本発明にかかる膝用のサポータの実施の形態の斜視図である。
【図２】図１の一部を切欠いて内面を示した一部切欠き斜視図である。
【図３】両脚の膝の内側の経穴の位置を示す説明図である。
【図４】左右の太股に装着した状態のサポータを、膝側から見た断面図である。
【図５】本発明にかかる膝用のサポータの、種々の実施形態を示した斜視図である。
【符号の説明】
１、１Ａ、１Ｂ、１Ｃ、１Ｄ    膝用のサポータ
１０          筒状部
２Ａ、２Ｂ    帯状体、磁性体層
３Ａ、３Ｂ    磁石片
５、６、７、８、９    係止手段
６、９        連結手段
【図１】
2004254731.tif 000003
【図２】
2004254731.tif 000004
【図３】
2004254731.tif 000005
【図４】
2004254731.tif 000006
【図５】
2004254731.tif 000007